(57)【要約】【課題】ＬＥＤを備えたＬＣＤバックライトの駆動システムを提供する。【解決手段】白色光を放出できるような配置構造にＬＥＤが配置された基板を有する光源部；交流電圧を直流電圧に変換する交流−直流変換部と、交流−直流変換部で変換された直流電圧を、赤色ＬＥＤアレイを駆動するのに適切な大きさの直流電圧に変換する赤色ＬＥＤ用直流−直流変換部と、緑色ＬＥＤアレイを駆動するのに適切な大きさの直流電圧に変換する緑色ＬＥＤ用直流−直流変換部と、青色ＬＥＤアレイを駆動するのに適切な大きさの直流電圧に変換する青色ＬＥＤ用直流−直流変換部とを有するＳＭＰＳ部；及び、赤色、緑色、青色ＬＥＤが一定の出力を維持するように、赤色、緑色、青色ＬＥＤアレイに流れる電流を制御する少なくとも１つの赤色、緑色、青色ＬＥＤ用定電流制御部を有する制御ボード部；を備えてなる、ＬＥＤを備えたＬＣＤバックライトの駆動システムを提供する。【選択図】図２
2008010852.tif 000002
【特許請求の範囲】
【請求項１】
赤色光を発光する複数の赤色ＬＥＤが直列連結された少なくとも１つの赤色ＬＥＤアレイ、緑色光を発光する複数の緑色ＬＥＤが直列連結された少なくとも１つの緑色ＬＥＤアレイ、青色光を発光する複数の青色ＬＥＤが直列連結された少なくとも１つの青色ＬＥＤアレイ、及びこれらのＬＥＤから放出される光が混合されて白色光を放出できるような配置構造に前記赤色、緑色、青色ＬＥＤアレイが配置された基板を有する光源部と、
外部から入力された交流電圧を直流電圧に変換する交流−直流変換部、前記交流−直流変換部で変換された直流電圧を、前記赤色ＬＥＤアレイを駆動するのに適切な大きさの直流電圧に変換する赤色ＬＥＤ用直流−直流変換部、前記交流−直流変換部で変換された直流電圧を、前記緑色ＬＥＤアレイを駆動するのに適切な大きさの直流電圧に変換する緑色ＬＥＤ用直流−直流変換部、及び前記交流−直流変換部で変換された直流電圧を、前記青色ＬＥＤアレイを駆動するのに適切な大きさの直流電圧に変換する青色ＬＥＤ用直流−直流変換部を有するＳＭＰＳ部と、
前記赤色、緑色、青色ＬＥＤが一定の出力を維持するように前記赤色、緑色、青色ＬＥＤアレイに流れる電流を制御する少なくとも１つの赤色、緑色、青色ＬＥＤ用定電流制御部を有する制御ボード部と、
を備える、ＬＥＤを備えたＬＣＤバックライトの駆動システム。
【請求項２】
前記ＬＣＤバックライトの駆動システムは、前記光源部から放出される光の輝度及び／または色を検出するセンサー部をさらに備え、
前記制御ボード部は、前記センサー部より検出された光の輝度及び／または色が、既設定された光の輝度及び色と一致するように、前記赤色、緑色、青色ＬＥＤの出力を決定するマイクロコントローラをさらに備え、
前記少なくとも１つの赤色、緑色、青色ＬＥＤ用定電流制御部は、前記赤色、緑色、青色ＬＥＤが前記マイクロコントローラによって決定された出力を維持するように、前記赤色、緑色、青色ＬＥＤアレイに流れる電流を制御することを特徴とする、請求項１に記載のＬＥＤを備えたＬＣＤバックライトの駆動システム。
【請求項３】
前記基板は、複数の分割領域を有し、該各分割領域につきそれぞれ１つの赤色、緑色、青色ＬＥＤアレイが配置され、
前記赤色、緑色、青色ＬＥＤ用定電流制御部は、１つの前記赤色、緑色、青色ＬＥＤアレイにつき１つずつそれぞれ備えられたことを特徴とする、請求項１に記載のＬＥＤを備えたＬＣＤバックライトの駆動システム。
【請求項４】
前記光源部は、複数の赤色ＬＥＤアレイ、複数のＬＥＤアレイ及び複数の青色ＬＥＤアレイを備え、
前記複数の赤色ＬＥＤアレイのそれぞれに含まれた赤色ＬＥＤの個数はいずれも同一であり、前記複数の緑色ＬＥＤアレイのそれぞれに含まれた緑色ＬＥＤの個数はいずれも同一であり、前記複数の青色ＬＥＤアレイのそれぞれに含まれた青色ＬＥＤの個数はいずれも同一であることを特徴とする、請求項１に記載のＬＥＤを備えたＬＣＤバックライトの駆動システム。
【発明の詳細な説明】
【技術分野】
【０００１】
本発明は、液晶表示装置のバックライトの駆動システムに係り、より詳細には、複数の発光ダイオードを光源とする液晶表示装置のバックライトを駆動するための、発光ダイオードを備えた液晶表示装置の駆動システムに関する。
【背景技術】
【０００２】
一般の液晶表示装置（Ｌｉｑｕｉｄ  Ｃｒｙｓｔａｌ  Ｄｉｓｐｌａｙ：以下、'ＬＣＤ'という。）のバックライトの光源として使われてきた冷陰極蛍光ランプ（Ｃｏｌｄ  Ｃａｔｈｏｄｅ  Ｆｌｕｏｒｅｓｃｅｎｔ  Ｌａｍｐ：以下'ＣＣＦＬ'という。）は、水銀ガスの使用によって環境汚染を招く恐れがある他、遅い応答速度及び低い色再現性という欠点と、ＬＣＤパネルの軽薄短小化に応えられないという欠点があった。
【０００３】
これに対して、発光ダイオード（Ｌｉｇｈｔ  Ｅｍｉｔｔｉｎｇ  Ｄｉｏｄｅ：以下、'ＬＥＤ'という。）は、環境親和的であるほか、応答速度が数ナノ秒と高速応答が可能なためビデオ信号ストリームに効果的であり、インパルシブ（Ｉｍｐｕｌｓｉｖｅ）駆動が可能なため、色再現性が１００％以上であり、かつ、赤色、緑色、青色ＬＥＤの光量を調整して輝度、色温度などを任意に変更できるだけでなく、ＬＣＤパネルの軽薄短小化に向いているという点から、ＬＣＤパネルなどのバックライト用光源として積極的に採用されている現状である。
【０００４】
このように、ＬＥＤを採用したＬＣＤバックライトにおいて、複数個のＬＥＤを直列連結してＬＥＤアレイを形成して使用する場合、このＬＥＤアレイに一定の定電流を提供できる駆動システムが必要とされる。
図１は、従来のＬＥＤを備えたＬＣＤバックライトの駆動システムを示す構成図である。
【０００５】
図１を参照すると、従来のＬＣＤバックライトの駆動システムは、外部から供給される交流電圧を直流電圧に変換するＳＭＰＳ部１１；該ＳＭＰＳ部１１で変換された直流電圧を、各色のＬＥＤアレイを駆動するのに適切な直流電圧に変換する複数の赤色、緑色、青色ＬＥＤ用直流−直流変換部１２１，１２２，１２３と、これらの赤色、緑色、青色ＬＥＤ用直流−直流変換部１２１，１２２，１２３で変換された直流電圧を制御することによって、各色のＬＥＤアレイに提供される電流を一定に維持させる赤色、緑色、青色ＬＥＤ用定電流制御部１２４，１２５，１２６とを有する駆動ボード部１２；及び、赤色、緑色、青色ＬＥＤアレイと、これらから放出される光が混合されて白色光を放出できるように各色のＬＥＤアレイが適切に配置されている基板１３１とを有する光源部１３；を備える。従来のＬＣＤバックライトの駆動システムは、光源部１３から放出される光の輝度及び／または色を検出するセンサー部１４をさらに備え、駆動ボード部１２は、センサー部１４より検出された光の輝度及び／または色が、既設定された光の輝度及び色と一致するように、赤色、緑色、青色ＬＥＤの出力を決定するマイクロコントローラ１２７をさらに備える。
【０００６】
このような従来のＬＣＤバックライトの駆動システムについて説明すると、ＳＭＰＳ部１１では交流−直流変換部１１１が交流電圧を直流電圧に変換し、該変換された直流電圧を直流−直流変換部１１２が所定の値の直流電圧に再び変換し、続いて、ＳＭＰＳ部１１の直流−直流変換部１１２から出力される直流電圧は、各色のＬＥＤ用直流−直流変換部１２１，１２２，１２３で該当する色のＬＥＤアレイの駆動に適合する電圧に昇圧または降圧される。したがって、従来のＬＣＤ駆動システムでは、直流電圧を直流電圧に変換する類似な動作が重複されるため、システム構成が非効率的となる他、その分だけ回路部品が増加するという不具合があった。なお、駆動ボード部１２には、各ＬＥＤアレイにつき１つの直流−直流変換部が備えられなければならないため部品数が増加し、回路具現のための空間を増加させなければならず、ＬＣＤバックライトの小型化に応えられないという問題点があった。
【発明の開示】
【発明が解決しようとする課題】
【０００７】
本発明は上記の従来技術の問題点を解決するためのもので、その目的は、ＬＣＤバックライトの駆動システムの回路効率を向上させ、それに必要な部品数を減少させることによって、低費用及び小型化が可能な、ＬＥＤを備えたＬＣＤバックライトの駆動システムを提供することにある。
【課題を解決するための手段】
【０００８】
上記目的を達成するための技術的構成として本発明は、
赤色光を発光する複数の赤色ＬＥＤが直列連結された少なくとも１つの赤色ＬＥＤアレイ、緑色光を発光する複数の緑色ＬＥＤが直列連結された少なくとも１つの緑色ＬＥＤアレイ、青色光を発光する複数の青色ＬＥＤが直列連結された少なくとも１つの青色ＬＥＤアレイ、及びこれらのＬＥＤから放出される光が混合されて白色光を放出できるような配置構造に前記赤色、緑色、青色ＬＥＤアレイが配置された基板を有する光源部と、
外部から入力された交流電圧を、直流電圧に変換する交流−直流変換部、前記交流−直流変換部で変換された直流電圧を、前記赤色ＬＥＤアレイを駆動するのに適切な大きさの直流電圧に変換する赤色ＬＥＤ用直流−直流変換部、前記交流−直流変換部で変換された直流電圧を、前記緑色ＬＥＤアレイを駆動するのに適切な大きさの直流電圧に変換する緑色ＬＥＤ用直流−直流変換部、及び前記交流−直流変換部で変換された直流電圧を、前記青色ＬＥＤアレイを駆動するのに適切な大きさの直流電圧に変換する青色ＬＥＤ用直流−直流変換部を有するＳＭＰＳ部と、
前記赤色、緑色、青色ＬＥＤが一定の出力を維持するように前記赤色、緑色、青色ＬＥＤアレイに流れる電流を制御する少なくとも１つの赤色、緑色、青色ＬＥＤ用定電流制御部を有する制御ボード部と、
を備える、ＬＥＤを備えたＬＣＤバックライトの駆動システムを提供する。
【０００９】
本発明の好ましい実施形態において、前記ＬＣＤバックライトの駆動システムは、前記光源部から放出される光の輝度及び／または色を検出するセンサー部をさらに備えることができ、且つ、前記制御ボード部は、前記センサー部から検出された光の輝度及び／または色が、既設定された光の輝度及び色と一致するように、前記赤色、緑色、青色ＬＥＤの出力を決定するマイクロコントローラをさらに備えることができる。本実施形態において、前記少なくとも１つの赤色、緑色、青色ＬＥＤ用定電流制御部は、前記赤色、緑色、青色ＬＥＤが前記マイクロコントローラによって決定された出力を維持するように、前記赤色、緑色、青色ＬＥＤアレイに流れる電流を制御して、前記赤色、緑色、青色ＬＥＤアレイに提供される電流を一定に維持するようにする。
【００１０】
また、本発明の好ましい実施形態において、前記基板は、複数の分割領域を有し、該各分割領域につきそれぞれ１つの赤色、緑色、青色ＬＥＤアレイが配置されることができる。前記赤色、緑色、青色ＬＥＤ用定電流制御部は、１つの前記赤色、緑色、青色ＬＥＤアレイにつき１つずつそれぞれ備えられて、該当する赤色、緑色、青色ＬＥＤアレイに定電流を提供する。
【００１１】
また、本発明は、ＳＭＰＳ部内に１つずつの赤色ＬＥＤ用直流−直流変換部、緑色ＬＥＤ用直流−直流変換部及び青色ＬＥＤ用直流−直流変換部を備えるもので、各直流−直流変換部から出力される駆動電圧が全てのＬＥＤアレイに同一に適用されなければならないという点に鑑み、前記複数の赤色ＬＥＤアレイのそれぞれに含まれた赤色ＬＥＤの個数はいずれも同一であり、前記複数の緑色ＬＥＤアレイのそれぞれに含まれた緑色ＬＥＤの個数はいずれも同一であり、前記複数の青色ＬＥＤアレイのそれぞれに含まれた青色ＬＥＤの個数はいずれも同一でなければならない。
【発明の効果】
【００１２】
本発明によれば、各色のＬＥＤを駆動するための直流−直流変換器がＳＭＰＳの内部に備えられるため、従来のＳＭＰＳにおける余分な直流−直流変換過程が省かれ、回路効率を向上させることが可能になる。なお、従来の駆動ボード内に複数個備えられていた各色のＬＥＤ用直流−直流変換器を１つに統合してＳＭＰＳ内に組み込むことによって、部品の個数及び消耗電力を著しく低減させ、且つ、駆動ボードのサイズを減少させるという効果が得られる。
【発明を実施するための最良の形態】
【００１３】
以下、添付図面を参照しつつ、本発明の好適な実施形態についてより詳細に説明する。ただし、本発明の実施形態は様々な他の形態に変形可能であり、本発明の範囲が以下に説明される実施形態に限定されることはない。すなわち、本発明の実施形態は、本発明の属する技術分野で通常の知識を持つ者に、本発明をより完全に説明するために提供されるものである。したがって、図面上の構成要素の形状及び大きさなどは、より明確な説明のために誇張して示され、図面上で実質的に同一の構成と機能を持つ構成要素については同一の参照符号を共通使用するものとする。
【００１４】
図２は、本発明によるＬＥＤを備えたＬＣＤバックライトの駆動システムを示す構成図である。
【００１５】
図２を参照すると、本発明によるＬＥＤを備えたＬＣＤバックライトの駆動システムは、大きく、ＳＭＰＳ部２１、制御ボード部２２、及び光源部２３を備えてなり、センサー部２４をさらに備える。
【００１６】
ＳＭＰＳ部２１は、外部から入力される交流電圧を、所定大きさの直流電圧に変換する交流−直流変換部２１１と、交流−直流変換部２１１で変換されて出力される直流電圧を、赤色光を発光する複数の赤色ＬＥＤが直列連結された少なくとも１つの赤色ＬＥＤアレイを駆動するのに適切な大きさの直流電圧に変換する赤色ＬＥＤ用直流−直流変換部２１２と、交流−直流変換部２１１で変換されて出力される直流電圧を、緑色光を発光する複数の緑色ＬＥＤが直列連結された少なくとも１つの緑色ＬＥＤアレイを駆動するのに適切な大きさの直流電圧に変換する緑色ＬＥＤ用直流−直流変換部２１３と、交流−直流変換部２１１で変換されて出力される直流電圧を、青色光を発光する複数の青色ＬＥＤが直列連結された少なくとも１つの青色ＬＥＤアレイを駆動するのに適切な大きさの直流電圧に変換する青色ＬＥＤ用直流−直流変換部２１４と、を備える。これらの赤色、緑色、青色ＬＥＤ用直流−直流変換部２１２，２１３，２１４には、スイッチング素子のオン−オフデューティを制御することによって、入力された直流電圧を所望の大きさの直流電圧に変換するＰＷＭ（Ｐｕｌｓｅ  Ｗｉｄｔｈ  Ｍｏｄｕｌａｔｉｏｎ）制御方式の昇圧式または降圧式直流−直流変換器を適用することができる。
【００１７】
制御ボード部２２は、赤色、緑色、青色ＬＥＤ用直流−直流変換部２１２，２１３，２１４の出力電圧をそれぞれ制御することによって、赤色、緑色、青色ＬＥＤアレイに提供される電流を一定に維持させる少なくとも１つの赤色、緑色、青色ＬＥＤ用定電流制御部２２１，２２２，２２３を備える。これに加えて、制御ボード部２２は、本発明のＬＣＤバックライトの駆動システムが光源部から放出される光の輝度及び／または色を検出するセンサー部２４をさらに備える場合、センサー部２４より検出された光の輝度及び／または色が、既設定された光の輝度及び色と一致するように赤色、緑色、青色ＬＥＤの出力を決定するマイクロコントローラ２２４をさらに備える。
【００１８】
光源部２３は、少なくとも１つの赤色ＬＥＤアレイと、少なくとも１つの緑色ＬＥＤアレイと、少なくとも１つの青色ＬＥＤアレイと、これらのＬＥＤから放出される光が混合されて白色光を放出できるような配置構造に赤色、緑色、青色ＬＥＤアレイが配置されている基板２３１とを備えてなる。図２で、参照符号'２３２'はＬＥＤを表し、図面をより簡潔にするためにＬＥＤアレイの詳細図示は省略する。
【００１９】
好ましくは、光源部２３の基板２３１は、複数の分割領域２３１ａ〜２３１ｄを有し、各分割領域２３１ａ〜２３１ｄにつき、１つの赤色ＬＥＤアレイ、１つの緑色ＬＥＤアレイ及び１つの青色ＬＥＤアレイが配置される。また、１つの赤色ＬＥＤアレイにつき１つずつの赤色ＬＥＤ用定電流制御部２２１が制御ボード部２２に備えられ、１つの緑色ＬＥＤアレイにつき１つずつの緑色ＬＥＤ用定電流制御部２２２が制御ボード部２２に備えられ、同様に１つの青色ＬＥＤアレイにつき１つの青色ＬＥＤ用定電流制御部２２３が制御ボード部２２に備えられる。すなわち、基板２３１の分割領域２３１ａ〜２３１ｄの個数、赤色、緑色、青色ＬＥＤアレイのそれぞれの個数、及び赤色、緑色、青色ＬＥＤ用定電流制御部２２１，２２２，２２３のそれぞれの個数は一致する。
【００２０】
図２では、基板２３１が４個の分割領域２３１ａ〜２３１ｄを有するとしたが、光源部が適用されるＬＣＤパネルの大きさ及び応用形態によって分割領域の個数は可変すれば良い。
【００２１】
センサー部２４は、光源部２３から出力される光の輝度及び／または色を検出する。センサー部２４は、光源部２３の全体から出力される光の輝度及び／または色を検出する１つのセンサーからなっても良く、基板２３１の各分割領域２３１ａ〜２３１ｄごとに出力される光の輝度及び／または色をそれぞれ検出するための複数のセンサーからなっても良い。
【００２２】
以下、添付図面を参照しつつ、本発明の作用及び効果について詳細に説明する。
【００２３】
図２に示すように、本発明によるバックライトの駆動システムは、光源部２３のＬＥＤを駆動するための電源として外部から交流電圧が提供される。外部から入力される交流電圧は、ＳＭＰＳ部２１で適切な形態の直流電圧に変換される。
【００２４】
まず、外部から入力される交流電圧は、交流−直流変換部２１１によって所定大きさの直流電圧に変換される。この交流−直流変換部２１１は当業界に知られたように、ＥＭＩフィルタ、整流器、力率補正器などとすれば良い。
【００２５】
続いて、赤色ＬＥＤ用直流−直流変換部２１２、緑色ＬＥＤ用直流−直流変換部２１３及び青色ＬＥＤ用直流−直流変換部２１４のそれぞれは、交流−直流変換部２１１から出力される所定大きさの直流電圧を、赤色ＬＥＤアレイ、緑色ＬＥＤアレイ及び青色ＬＥＤアレイを駆動するのに適切な大きさの電圧に変換する。
【００２６】
例えば、交流−直流変換部２１１の出力直流電圧の大きさが３８０Ｖであり、赤色のＬＥＤアレイは、直列連結された３０個の赤色ＬＥＤからなり、各赤色ＬＥＤの駆動電圧が３．３Ｖである場合、赤色ＬＥＤ用直流−直流変換部２１２は、３８０Ｖの直流電圧を、直列連結された３０個の赤色ＬＥＤを駆動するのに必要な１００Ｖの電圧に変換する。同様に、緑色及び青色ＬＥＤ用直流−直流変換部２１３，２１４も、３８０Ｖの電圧を、該当のＬＥＤアレイに含まれたＬＥＤを全て駆動できるような大きさの電圧に変換して出力する。赤色、緑色、青色ＬＥＤ用直流−直流変換部２１２，２１３，２１４で変換されて提供される駆動電圧は、複数のＬＥＤアレイに同一に適用されるので、各色のＬＥＤアレイに直列連結されたＬＥＤの個数は、各色別にいずれも同一でなければならない。
【００２７】
本発明は、従来ＳＭＰＳ部内に組み込まれていた直流−直流変換器を省略し、その代わりに、各色のＬＥＤアレイを駆動するための複数の直流−直流変換器をＳＭＰＳ部内に組み込むことによって、余分の直流−直流変換過程を省略して駆動システムの効率を向上させる他、部品数を低減させた。なお、従来駆動ボード内に組み込まれていた各色のＬＥＤ用直流−直流変換器をＳＭＰＳ部内に組み込むことによって、駆動ボードの占める面積を減少させ、かつ、各色別に１つの直流−直流変換器のみを適用することによって部品数を顕著に減少させることが可能になった。
【００２８】
ＳＭＰＳ部２１内に備えられている赤色、緑色、青色ＬＥＤ用直流−直流変換部２１２，２１３，２１４から提供される駆動電圧は、制御ボード部２２内の赤色、緑色、青色ＬＥＤ用定電流制御部２２１，２２２，２２３によって一定の電流としてそれぞれ制御された状態でそれぞれ赤色、緑色、青色ＬＥＤアレイに提供される。赤色、緑色、青色ＬＥＤ用定電流制御部２２１，２２２，２２３はそれぞれ、赤色、緑色、青色ＬＥＤアレイの数と同一に備えられ、１つの赤色、緑色、青色ＬＥＤ用定電流制御部２２１，２２２，２２３につき１つの赤色、緑色、青色ＬＥＤアレイが連結されて駆動される。
【００２９】
また、光源部２３において各色のＬＥＤから放出される光が混合されて放出される混合光の輝度及び／または色をセンサー部２４より検出する場合、センサー部２４より検出された光の輝度及び／または色に関する情報が、制御ボード部２２内のマイクロコントローラ２２４に伝達され、このマイクロコントローラ２２４は、既設定された光の輝度及び色と一致するように、赤色、緑色、青色ＬＥＤの出力を決定し、この決定された出力を維持できるように赤色、緑色、青色ＬＥＤ用定電流制御部２２１，２２２，２２３は、入力される駆動電圧を制御することによって、各色のＬＥＤアレイに一定の大きさの電流が提供されるようにする。
【００３０】
一方、光源部２３の基板２３１は、複数の分割領域２３１ａ〜２３１ｄに区分され、各分割領域に赤色ＬＥＤアレイ、緑色ＬＥＤアレイ、青色ＬＥＤアレイが１つずつ配置されることができる。このような分割領域２３１ａ〜２３１ｄは、１つの定電流制御部２２１，２２２，２２３によって制御される１つのＬＥＤアレイを区分するための機能を担うと同時に、各分割領域から放出される混合光の輝度及び／または色をそれぞれ検出するために複数のセンサー部が備えられた場合、分割領域別に輝度及び／または色を個別に制御するローカルジミングを行うための領域を区分する機能を担当することができる。
【００３１】
以下、添付の図面を参照して、本発明の様々な実施形態を具体的に説明する。
【００３２】
図３は、本発明の一実施形態によるＬＥＤを備えたＬＣＤバックライトの駆動システムの細部回路構成図である。図３は、ＬＥＤアレイ３３２に流れる電流をフィードバックして、ＳＭＰＳ部３１内のＬＥＤ用直流−直流変換部３１２の出力電圧を制御する実施形態を示すものである。この実施形態は、ＬＥＤアレイ３３２の電流によって、ＳＭＰＳ部３１内に存在する１つのＬＥＤ用直流−直流変換部３１２の出力を制御する形態で、赤色、緑色、青色ＬＥＤアレイがそれぞれ１つずつ備えられた形態の光源にのみ適用されることができる。一方、説明の便宜上、図３には、１色のＬＥＤアレイが適用された形態を示しているが、各色別に同じ構造のＬＥＤアレイと定電流制御部及び直流−直流変換部が適用されることができる。
【００３３】
図３に示すように、この実施形態には、ダイオードＤとインダクタＬが連結されたバックタイプ（Ｂｕｃｋ  ｔｙｐｅ）の直流−直流変換部３１２が適用される。ＬＥＤアレイ３３２から出力される光が、センサー部３４より検出され、その結果が制御ボード部３２のマイクロコントローラ３２４に伝達される。マイクロコントローラ３２４は、検出された光出力によって、既設定された一定の出力を維持するように制御ボード部３２内の定電流制御部３２１の電流増幅部３２１１に適切な制御電流を伝達する。この電流増幅部３２１１は、マイクロコントローラ３２４からの制御電流を増幅し、これを、ＬＥＤアレイの出力端にコレクタが連結されるとともに直流−直流変換部３１２のダイオードＤのアノードにエミッタが連結されたトランジスタＴＲのベース端に提供することによって、直流−直流変換部３１２の出力を制御する。これで、ＬＥＤアレイ３３２に対する定電流制御がなされる。
【００３４】
一方、定電流制御部３２１は、各種検出抵抗Ｒ１，Ｒ２と、この検出抵抗Ｒ１，Ｒ２から検出される電圧値によって、スイッチＳ１のオン／オフ時間を制御するようにデューティが制御されたパルス信号を出力するＰＷＭ  ＩＣ  ３２１２と、検出抵抗Ｒ１，Ｒ２から検出される電圧値によって過電圧を遮断するようにＰＷＭ  ＩＣ  ３２１２を駆動する保護回路部３２１３などをさらに備えることができる。
【００３５】
図４は、本発明の他の実施形態によるＬＥＤを備えたＬＣＤバックライトの駆動システムの細部回路構成図である。図４は、フライバックタイプ（Ｆｌｙｂａｃｋ  ｔｙｐｅ）直流−直流変換部４１２を適用した実施形態を示すもので、ＬＥＤアレイ４３２から出力される電流を、定電流制御部４２１で直接制御する。図４に示す実施形態は、ＬＥＤアレイごとに定電流制御部が備えられるので、各色別に複数のＬＥＤアレイを有する光源に適用されることができる。一方、図４は、説明の便宜上、１つのＬＥＤアレイのみを示しているが、各色別の複数のＬＥＤアレイごとに同じ構造の定電流制御部が備えられることができる。
【００３６】
図４に示すように、この実施形態は、変圧コイルが適用されたフライバックタイプの直流−直流変換部４１２が適用される。ＬＥＤアレイ４３２から出力される光が、センサー部４４より検出され、その結果が制御ボード部４２のマイクロコントローラ４２４に伝達される。マイクロコントローラ４２４は、検出された光出力によって、既設定された一定の出力を維持するための電流の大きさを決定し、定電流制御部４２１は、ＬＥＤアレイ４３２に流れる電流が、マイクロコントローラ４２４によって決定された電流の大きさを一定に維持するように制御する。
【００３７】
一方、フライバックタイプの直流−直流変換器４１２は、その出力電圧を基準電圧Ｖｒｅｆと比較する比較器４１２１と、この比較器４１２１の比較結果によって１次側コイルの電圧をＰＷＭ制御するＰＷＭ  ＩＣ  ４１２２とを備えることができる。
【図面の簡単な説明】
【００３８】
【図１】従来のＬＥＤを備えたＬＣＤバックライトの駆動システムの構成図である。
【図２】本発明によるＬＥＤを備えたＬＣＤバックライトの駆動システムの構成図である。
【図３】本発明の一実施形態によるＬＥＤを備えたＬＣＤバックライトの駆動システムの細部回路構成図である。
【図４】本発明の他の実施形態によるＬＥＤを備えたＬＣＤバックライトの駆動システムの細部回路構成図である。
【符号の説明】
【００３９】
２１    ＳＭＰＳ部
２１１    交流−直流変換部
２１２，２１３，２１４    赤色、緑色、青色ＬＥＤ用直流−直流変換部
２２    制御ボード部
２２１，２２２，２２３    赤色、緑色、青色ＬＥＤ用定電流制御部
２２４    マイクロコントローラ
２３    光源部
２３１    基板
２３２    ＬＥＤ
２４    センサー部
【図１】
2008010852.tif 000003
【図２】
2008010852.tif 000004
【図３】
2008010852.tif 000005
【図４】
2008010852.tif 000006